(57)【要約】      （修正有）【課題】市販されている４種類のシングルヘッドドライバ及びダブルヘッドドライバの差し換えが可能である工具差換機構を提供する。【解決手段】メインロッド本体１０と、制御スライドスリーブ２０と、可動内筒４０と、磁気吸引可動バーユニット６０とを有する。可動内筒４０は、メインロッド本体１０のドライバ用スロット１３内に限られた範囲内でスライド可能に設けてあり、先端側に、ドライバ突き当て側縁４１と凹み空間部４２が形成してある。磁気吸引可動バーユニット６０は、磁気吸引ヘッド６１とロッド部６２を有し、可動内筒４０内に限定された範囲内でスライド可能に設けてあり、基部側にスライドしているプリセットの状態において、磁気吸引ヘッド６１と可動内筒４０のドライバ突き当て側縁４１との間に受け入れ空間１００が存在するようになる。受け入れ空間１００がダブルヘッドドライバの錐先状のヘッドを受け入れる。【選択図】図３
0003148716.tif 000002
【実用新案登録請求の範囲】
【請求項１】
メインロッド本体（１０）と、
制御スライドスリーブ（２０）と、
第１の弾性リセットユニット（３０）と、
可動内筒（４０）と、
第２の弾性リセットユニット（５０）と、
磁気吸引可動バーユニット（６０）と
第１の対をなす位置規制ボール（７１）と、
第２の対をなす位置規制ボール（７２）と、
内筒位置規制機構（７３）を有し、
前記メインロッド本体（１０）は、中空の棒形状であり、差換機構側（１１）と工具差込側（１２）を有し、前記工具差込側（１２）には、断面が六角形である凹み状の工具用スロット（１３）が形成してあり、前記工具用スロット（１３）の周壁には所定の距離離れた箇所に、貫通タイプの第１ボール保持孔（１４）及び第２ボール保持孔（１５）が形成してある構成であり、
前記制御スライドスリーブ（２０）は、前記メインロッド本体（１０）の工具差込側（１２）の外周にスライド可能に設けてあり、内周壁面には、間隔をあけて、凹みリング溝（２１）と嵌めリング溝（２２）が形成してあり、且つ、前記嵌めリング溝（２２）の片側に位置規制ガイド溝（２２１）が形成してある構成であり、
前記第１の弾性リセットユニット（３０）は、前記制御スライドスリーブ（２０）と前記メインロッド本体（１０）との間に設けてあり、前記制御スライドスリーブ（２０）を工具差込側（１２）の方向へ付勢する構成であり、
前記可動内筒（４０）は、前記メインロッド本体（１０）の前記工具用スロット（１３）内に限られた範囲内でスライド可能に設けてあり、先端側に、工具突き当て側縁（４１）と凹み空間部（４２）が形成してあり、該凹み空間部（４２）の底の中央に貫通孔（４３）が形成してある構成であり、
前記第２の弾性リセットユニット（５０）は、前記可動内筒（４０）と前記工具用スロット（１３）の内部の奥の壁との間に設けてあり、前記可動内筒（４０）カバーを前記工具用スロット（１３）の先端方向へ移動させる構成であり、
前記磁気吸引可動バーユニット（６０）は、前記可動内筒（４０）の前記凹み空間部（４２）内に限定された範囲内でスライド可能に設けてあり、磁気吸引ヘッド（６１）とロッド部（６２）を有し、基部側にスライドしているプリセットの状態において前記磁気吸引ヘッド（６１）と可動内筒（４０）の工具突き当て側縁（４１）との間に受け入れ空間（１００）が存在しており、前記ロッド部（６２）は前記内凹み空間部（４２）の貫通孔（４３）を緩く貫通しており、前記ロッド部（６２）の基部側に拡大径位置規制部（６３）を有する構成であり、
前記第１の対をなす位置規制ボール（７１）は、前記工具用スロット（１３）の壁に形成してある第１ボール保持孔（１４）内に設けてあり、前記制御スライドスリーブ（２０）の内周壁面によって押されて前記工具用スロット（１３）内に突き出て工具嵌めの定位置状態となり、前記制御スライドスリーブ（２０）の前記凹みリング溝（２１）と対向すると、外周側へ後退して、工具のロックを解除する状態となる、構成であり、
前記第２の対をなす位置規制ボール（７２）は、前記工具用スロット（１３）の周壁に形成してある前記第２ボール保持孔（１５）内に設けてあり、前記可動内筒（４０）の外周壁面によって押されて外周側に突き出て、前記制御スライドスリーブ（２０）の内周壁に形成してある嵌めリング溝（２２）に嵌合する構成であり、
前記内筒位置規制機構７３は、前記工具用スロット（１３）の周壁に設けてあり、前記可動内筒（４０）の前記工具用スロット（１３）の先端方向へのスライドする最終位置を規制する構成である、工具差換機構。
【請求項２】
前記第１の弾性リセットユニット（３０）は、圧縮コイルばねであり、
該圧縮コイルばねは、前記制御スライドスリーブ２０に形成してあるリング状肩部（２３）と前記メインロッド本体（１０）に形成してあるリング状肩部（１７）との間に設けてある、請求項１記載の工具差換機構。
【請求項３】
前記内筒位置規制機構（７３）は、位置規制ボール（７３１）を有し、
前記位置規制ボール（７３１）は、前記工具用スロット（１３）の周壁に形成してあるボール保持孔（７３２）に嵌合してあり、前記制御スライドスリーブ（２０）の内周壁面によって押されて前記工具用スロット（１３）内に突き出て、前記可動内筒（４０）の前記工具突き当て側縁（４１）を係止する、請求項１記載の工具差換機構。
【考案の詳細な説明】
【技術分野】
【０００１】
本考案は工具差換機構に係り、特に、現在少なくとも四つの規格のドライバの差し込みに供することができるオリジナルな汎用型ドライバ差換機構に関する。  
【背景技術】
【０００２】
従来の電動工具装置のドライバ差換機構は、調整可能で、異なった規格のドライバ組み合わせの変更に合わせることができる構成である。
【考案の開示】
【考案が解決しようとする課題】
【０００３】
しかし、このような電動工具装置の差換機構は外径が大きいため、深くて小さい隙間にネジを緩め、又は締めるとき、上述の差換機構でその中へ入れず、作業できなくなる問題点が生じる。
【０００４】
上述の問題点を解決するために、業界で一種のドライバ差換機構製品が開発された。このドライバ差換機構は、通常、片側は電動工具の組合せヘッドに合わせるための組合せ差換機構部で、他方側は、設定長さが調整可能で、ドライバ差込用のドライバ用スロットがある。このようなドライバ差換機構は、長さを伸ばすことが可能である。
【０００５】
実際の実施経験から見れば、現在市販でよく見られるドライバは、メーカーにより販売されたドライバ差込側タイプが完全に同じものでないため、ドライバ差込側からボール位置固定縁までの間隔は、現在の市販品に少なくとも四タイプがある。
【０００６】
しかし、従来のドライバ差換機構構造設計の多くは、その中の一タイプ又は二タイプに対応が可能であるのみで、使用上の多様な適合性が薄くて、ドライバは前記ドライバ差換機構の差込み、組合せがうまくできず、前記ドライバ差換機構の実用性に大きくマイナスな影響を与える欠点がある。
【０００７】
それを鑑みて、従来のドライバ差換機構構造に存在する問題点について、より理想で、実用性のあるオリジナル構造を開発するのが、使用者の望むことであり、関連業者が努力し、研究開発すべき目標と方向でもある。
【０００８】
本考案の主要目的は、汎用型ドライバ差換機構を提供することであり、解決しようとする課題は、従来のドライバ差換機構における市販の一種又は二種のドライバタイプにだけ対応のみで使用上の多様な適合性がよくないという実用上の問題を解決することである。
【課題を解決するための手段】
【０００９】
本考案の工具差換機構は、
メインロッド本体１０と、
制御スライドスリーブ２０と、
第１の弾性リセットユニット３０と、
可動内筒４０と、
第２の弾性リセットユニット５０と、
磁気吸引可動バーユニット６０と
第１の対をなす位置規制ボール７１と、
第２の対をなす位置規制ボール７２と、
内筒位置規制機構７３を有し、
前記メインロッド本体１０は、中空の棒形状であり、差換機構側１１と工具差込側１２を有し、前記工具差込側１２には、断面が六角形である凹み状の工具用スロット１３が形成してあり、前記工具用スロット１３の周壁には所定の距離離れた箇所に、貫通タイプの第１ボール保持孔１４及び第２ボール保持孔１５が形成してある構成であり、
前記制御スライドスリーブ２０は、前記メインロッド本体１０の工具差込側１２の外周にスライド可能に設けてあり、内周壁面には、間隔をあけて、凹みリング溝２１と嵌めリング溝２２が形成してあり、且つ、前記嵌めリング溝２２の片側に位置規制ガイド溝２２１が形成してある構成であり、
前記第１の弾性リセットユニット３０は、前記制御スライドスリーブ２０と前記メインロッド本体１０との間に設けてあり、前記制御スライドスリーブ２０を工具差込側１２の方向へ付勢する構成であり、
前記可動内筒４０は、前記メインロッド本体１０の前記工具用スロット１３内に限られた範囲内でスライド可能に設けてあり、先端側に、工具突き当て側縁４１と凹み空間部４２が形成してあり、該凹み空間部４２の底の中央に貫通孔４３が形成してある構成であり、
前記第２の弾性リセットユニット５０は、前記可動内筒４０と前記工具用スロット１３の内部の奥の壁との間に設けてあり、前記可動内筒４０カバーを前記工具用スロット１３の先端方向へ移動させる構成であり、
前記磁気吸引可動バーユニット６０は、前記可動内筒４０の前記凹み空間部４２内に限定された範囲内でスライド可能に設けてあり、磁気吸引ヘッド６１とロッド部６２を有し、基部側にスライドしているプリセットの状態において前記磁気吸引ヘッド６１と可動内筒４０の工具突き当て側縁４１との間に受け入れ空間１００が存在しており、前記ロッド部６２は前記内凹み空間部４２の貫通孔４３を緩く貫通しており、前記ロッド部６２の基部側に拡大径位置規制部６３を有する構成であり、
前記第１の対をなす位置規制ボール７１は、前記工具用スロット１３の壁に形成してある第１ボール保持孔１４内に設けてあり、前記制御スライドスリーブ２０の内周壁面によって押されて前記工具用スロット１３内に突き出て工具嵌めの定位置状態となり、前記制御スライドスリーブ２０の前記凹みリング溝２１と対向すると、外周側へ後退して、工具のロックを解除する状態となる、構成であり、
前記第２の対をなす位置規制ボール７２は、前記工具用スロット１３の周壁に形成してある前記第２ボール保持孔１５内に設けてあり、前記可動内筒４０の外周壁面によって押されて外周側に突き出て、前記制御スライドスリーブ２０の内周壁に形成してある嵌めリング溝２２に嵌合する構成であり、
前記内筒位置規制機構７３は、前記工具用スロット１３の周壁に設けてあり、前記可動内筒４０の前記工具用スロット１３の先端方向へのスライドする最終位置を規制する構成である、構成としたものである。
【考案の効果】
【００１０】
オリジナルな独特設計により、本考案の汎用型工具差換機構は、例えば、現在の市販品である四つのタイプの差し込み形式のドライバの全部に対応が可能であり、多様な適合性が達成され、使いやすく、実用で且つ進歩性を有する。
【考案を実施するための最良の形態】
【００１１】
以下、本考案のドライバ差換機構の最適な実施例について説明する。
【実施例１】
【００１２】
図１は本考案の実施例１になる汎用型ドライバ差換機構（工具差換機構）Ａの斜視図である。図３は図１の汎用型ドライバ差換機構を分解して示す斜視図である。図３は、ドライバ８１を差し込むときの、図１の汎用型ドライバ差換機構の縦断面図である。
【００１３】
Ｙ１−Ｙ２は汎用型ドライバ差換機構Ａの軸線の方向であり、Ｙ１側が先端側であり、Ｙ２側が基部側であって電動工具本体側である。
【００１４】
図１乃至図３に示すように、汎用型ドライバ差換機構Ａは、中空の棒形状であるメインロッド本体１０を有する。メインロッド本体１０は、差換機構側１１とドライバ差込側（工具差込側）１２を有する。ドライバ差込側１２には、断面が六角形である凹み状のドライバ用スロット（工具用スロット）１３が形成してある。ドライバ用スロット１３の周壁には所定の距離離れた箇所に、貫通タイプの第１ボール保持孔１４及び第２ボール保持孔１５が形成してある。
【００１５】
メインロッド本体１０のドライバ差込側１２の外周に、制御スライドスリーブ２０が、Ｙ１−Ｙ２方向にスライド可能に設けてある。制御スライドスリーブ２０の内周壁面には、間隔をあけて、凹みリング溝２１と嵌めリング溝２２が形成してある。
【００１６】
制御スライドスリーブ２０とメインロッド本体１０との間に、第１の圧縮コイルばね（第１の弾性リセットユニット）３０が設けてあり、制御スライドスリーブ２０はドライバ差込側１２の方向（Ｙ１方向）へ移動されている。制御スライドスリーブ２０にはリング状肩部２３が、メインロッド本体１０にはリング状肩部１７が夫々形成してあり、第１の圧縮コイルばね３０はこのリング状肩部２３、１７の間に設けてある。
【００１７】
メインロッド本体１０のドライバ用スロット１３内に、可動内筒４０が限られた範囲内でスライド可能に設けてある。可動内筒４０のＹ１側（メインロッド本体１０の先端の側）には、ドライバ突き当て側縁（工具突き当て側縁）４１と凹み空間部４２が形成してある。凹み空間部４２の奥の底の中央に、貫通孔４３が形成してある。
【００１８】
可動内筒４０の内側（Ｙ２側）とドライバ用スロット１３の内部の奥の壁との間に、第２の圧縮コイルばね（第２の弾性リセットユニット）５０が設けてある。第２の圧縮コイルばね５０のばね力によって、可動内筒４０カバーは、ドライバ用スロット１３の先端方向（Ｙ１方向）へ付勢されて移動している。
【００１９】
可動内筒４０の凹み空間部４２内に、磁気吸引可動バーユニット６０が、限定された範囲内でＹ１−Ｙ２方向にスライド可能に設けてある。磁気吸引可動バーユニット６０は、先端側（Ｙ１側）に磁気吸引ヘッド６１を有し、基部側（Ｙ２側）にロッド部６２を有する。
【００２０】
磁気吸引可動バーユニット６０が、図３に示すように、可動内筒４０に対して基部側（Ｙ２方向）にスライドしているプリセットの状態において、磁気吸引ヘッド６１と可動内筒４０のドライバ突き当て側縁４１との間に受け入れ空間１００が存在するようになっている。この受け入れ空間１００が、図８（Ｄ）に示すように、ダブルヘッド式ドライバ８４の差し込み側の先端の錐先状のヘッド８４１を受け入れる。
【００２１】
ロッド部６２は、内凹み空間部４２の貫通孔４３を緩く貫通している。ロッド部６２の基部側（Ｙ２方向の側）には、径が拡大している拡大径位置規制部６３を有する。拡大径位置規制部６３は、Ｔ形の柱又はボルトである。磁気吸引ヘッド６１は、端面より窪んだ置き空間部６４とこの置き空間部６４に嵌められた永久磁石６５とからなる構成である。
【００２２】
ドライバ用スロット１３の壁に形成してある第１ボール保持孔１４内に、第１の対をなす位置規制ボール７１が設けてある。この第１の対をなす位置規制ボール７１は、制御スライドスリーブ２０の内周壁面によって押されてドライバ用スロット１３内に突き出た状態にあり（図５参照）、後述するドライバ８１のボール位置固定縁８１０等と嵌合してドライバ嵌めの定位置状態となる。制御スライドスリーブ２０が移動されてその凹みリング溝２１が第１の対をなす位置規制ボール７１と対向すると、第１の対をなす位置規制ボール７１は外周側へ後退して、ドライバのロックを解除する状態となる。
【００２３】
ドライバ用スロット１３の周壁に形成してある第２ボール保持孔１５内に、第２の対をなす位置規制ボール７２が設けてある。この第２の対をなす位置規制ボール７２は、可動内筒４０の外周壁面によって押されて外周側に突き出て、制御スライドスリーブ２０の内周壁に形成してある嵌めリング溝２２に嵌合している。
【００２４】
また、ドライバ用スロット１３の周壁には内筒位置規制機構７３が設けてある。この内筒位置規制機構７３は、可動内筒４０のドライバ用スロット１３の先端方向（Ｙ１方向）へのスライドの最終位置を規制する。内筒位置規制機構７３は、位置規制ボール７３１がドライバ用スロット１３の周壁のボール保持孔７３２に嵌合して収まっている構成である。位置規制ボール７３１は、制御スライドスリーブ２０の内周壁面によって押されてメインロッド本体１０のドライバ用スロット１３内に突き出て、可動内筒４０のドライバ突き当て側縁４１を係止する。
【００２５】
図３を参照するに、制御スライドスリーブ２０の内周壁面面には、嵌めリング溝２２のＹ２側に、嵌めリング溝２２とつながって位置規制ガイド溝２２１が形成してある。位置規制ガイド溝２２１のＹ２側の縁が第２の対をなす位置規制ボール７２に突き当たることによって、制御スライドスリーブ２０が先端方向（Ｙ１方向）へスライドする最大ストロークが定まり、制御スライドスリーブ２０はメインロッド本体１０から外れることはない（図５参照）。
【００２６】
次に、上記の構成になる本考案の汎用型ドライバ差換機構Ａの使用時の作動について説明する。
【００２７】
[ドライバ８１を汎用型ドライバ差換機構Ａにロックするときの操作及び動作]
図３は汎用型ドライバ差換機構Ａのドライバ８１を差し込まないときの状態を示す。
【００２８】
可動内筒４０は第２圧縮コイルばね５０により先端方向（Ｙ１方向）へ押され、内筒位置規制機構７３により係止されて位置が定まっている。
【００２９】
可動内筒４０によって押されて、第２の対をなす位置規制ボール７２は、メインロッド本体１０の外周側に突き出ており、制御スライドスリーブ２０の内周壁の嵌めリング溝２２に嵌合している。制御スライドスリーブ２０はスライドを規制されて図３に示す位置に位置している状態にある。第１圧縮コイルばね３０は、２つのリング状肩部１７、２３との間で圧縮されて弾力が蓄積されている。第１の対をなす位置規制ボール７１は、制御スライドスリーブ２０の内周壁の凹みリング溝２１と相対して位置しており、ドライバ用スロット１３から外周方向に後退可能であるドライバ開放状態となっている。
【００３０】
第１の対をなす位置規制ボール７１がドライバ開放状態であるので、ドライバ８１をメインロッド本体１０のドライバ差込側１２のドライバ用スロット１３内に差し込むと、ドライバ８１は第１の対をなす位置規制ボール７１の位置を越えて差し込まれる。
【００３１】
図４はドライバ８１をメインロッド本体１０のドライバ差込側１２のドライバ用スロット１３内にプリセット深さまで差し込んだときの状態を示す。図５はドライバ８１を更に差し込んで固定したときの状態を示す。
【００３２】
ドライバ８１が、図４に示すプリセット深さまで差し込まれると、ドライバ８１の差し込み方向の先端（Ｙ２側の端）が可動内筒４０のドライバ突き当て側縁４１に突き当たる。また、磁気吸引ヘッド６１がドライバ８１の差し込み方向の先端の面に吸着し、磁気吸引可動バーユニット６０が可動内筒４０内でＹ１方向に移動する。
【００３３】
ドライバ８１が更に差し込まれると、可動内筒４０が、ドライバ８１によって押されて、第２圧縮コイルばね５０を圧縮させつつＹ２方向に移動される。可動内筒４０がＹ２方向に移動されて第２の対をなす位置規制ボール７２の位置から外れると、第２の対をなす位置規制ボール７２はドライバ用スロット１３の中心の方向への変位の制限が解除され、ドライバ用スロット１３の中心の方向へ変位して、制御スライドスリーブ２０の嵌めリング溝２２から抜け出る。これによって、制御スライドスリーブ２０に対する規制が解除され、制御スライドスリーブ２０は第１圧縮コイルばね３０の弾力によってＹ１方向へ図５にＬ１で示すプリセット距離をスライドする。
【００３４】
制御スライドスリーブ２０が上記のようにスライドすることによって、第１の対をなす位置規制ボール７１が外周側を押されてドライバ用スロット１３内に突き出す。第１の対をなす位置規制ボール７１は、深く差し込まれているドライバ８１のボール位置固定縁８１０に嵌合する。第１の対をなす位置規制ボール７１は外周側を制御スライドスリーブ２０の内周壁面によって拘束されており、ドライバ８１は固定されてロックされた状態となる。
【００３５】
電動ドライバ装置はこの状態で使用される。
【００３６】
[ドライバ８１を汎用型ドライバ差換機構Ａから取り外すときの操作及び動作]
ドライバ８１に対するロックを解除させてドライバ８１を汎用型ドライバ差換機構Ａから取り外すときには、図５に示す状態で、制御スライドスリーブ２０を矢印Ｌ２（図６参照）で示すように後方（Ｙ２方向）へスライドさせる。
【００３７】
制御スライドスリーブ２０をスライドさせると、制御スライドスリーブ２０の凹みリング溝２１が第１の対をなす位置規制ボール７１に対向し、第１の対をなす位置規制ボール７１は拘束を解除されて外周方向への移動が可能なり、ドライバ８１はロックを解除される。
【００３８】
ドライバ８１のロックが解除されると、第２圧縮コイルばね５０によって可動内筒４０が先端側（Ｙ１方向）へ押されて、図４に示すように内筒位置限定部品７３により係止される位置まで移動され、ドライバ８１は可動内筒４０と共にＹ１方向へ移動されてドライバ用スロット１３から所定距離押し出される。
【００３９】
使用者はドライバ８１のうちドライバ用スロット１３から突き出ている箇所を掴んで引く。これによって、ドライバ８１が磁気吸引ヘッド６１による磁気吸引から切り離されて吸引汎用型ドライバ差換機構Ａから取り外される。
【００４０】
ここで、ドライバ８１の差込側は、磁気吸引可動バーユニット６０の磁気吸引ヘッド６１に吸着されているので、ドライバ８１がドライバ用スロット１３から抜け出そうとしても、抜け出しは拡大径位置規制部６３によって図６に示す状態で制限され、ドライバ８１が無用に落下することは起きない。
【００４１】
本考案の汎用型ドライバ差換機構Ａは、実施上、図７に示す現在の市販品で少なくとも四つのタイプのドライバ差込タイプに対応可能である。
【００４２】
図７（Ａ）乃至（Ｄ）は四つの異なった類型のタイプのドライバ８１、８２、８３、８４を対照して示す。この四つのタイプのドライバ８１、８２、８３、８４の相違点は、主に差込側の端面から片側のボール位置固定縁８１０、８２０、８３０、８４０とのギャップ（Ｗ１、Ｗ２、Ｗ３、Ｗ４）が異なるところにある。  
図８（Ａ）乃至（Ｄ）は、本考案の汎用型ドライバ差換機構Ａに夫々四種のドライバ８１、８２、８３、８４が差し込まれてロックされている状態を示す。
【００４３】
ヘッドを一つだけ有する三種のシングルヘッド式ドライバ８１、８２、８３は、差込側の端面からボール位置固定縁８１０、８２０、８３０までの距離Ｗ１、Ｗ２、Ｗ３は相違している。この相違は、可動内筒４０のスライド可能の前後移動特性で調整されて対応が可能である。
【００４４】
ヘッドを両端に有するダブルヘッド式ドライバ８４は、錐先状の差込側の端面から片側のボール位置固定縁８４０までの距離Ｗ４は、前記の距離Ｗ１、Ｗ２、Ｗ３のうちの最大の距離Ｗ３よりも長い。
【００４５】
ダブルヘッド式ドライバ８４を固定するべくドライバ用スロット１３に差し込むと、その差し込み側の先端の錐先状のヘッド８４１によって押されて、磁気吸引可動バーユニット６０の磁気吸引ヘッド６１が可動内筒４０のドライバ突き当て側縁４１よりＹ２方向に移動され受け入れ空間１００が形成され、ヘッド８４１がこの受け入れ空間１００に受け入れられ、続いて、可動内筒４０がＹ２方向に移動される。このときに、第１の対をなす位置規制ボール７１が外周側を拘束されると共にボール位置固定縁８４０に嵌合し、ダブルヘッド式ドライバ８４がロックされる。
【００４６】
上記のように本考案の実施例の上記の可動内筒４０は、メインロッド本体１０のドライバ用スロット１３内に限られた範囲内でスライド可能に設けてあり、先端側に、ドライバ突き当て側縁４１と凹み空間部４２が形成してある。磁気吸引可動バーユニット６０は、磁気吸引ヘッド６１とロッド部６２を有し、可動内筒４０内に限定された範囲内でスライド可能に設けてあり、基部側にスライドしているプリセットの状態において、磁気吸引ヘッド６１と可動内筒４０のドライバ突き当て側縁４１との間に受け入れ空間１００が存在するようになる。受け入れ空間１００がダブルヘッドドライバの錐先状のヘッド８４１を受け入れる。
【００４７】
上述の実施例は本考案を具体的に説明したものであり、文中では特定の専門用語を用いて説明しているが、本考案の範囲を限定するものではなく、この技術分野を熟知した人は本考案の精神及び原則を逸脱しない限り、本考案に変更または改良を加えることができる。しかし、それらの変更または改良は全て実用新案登録請求の範囲の範疇に含まれるものである。
【図面の簡単な説明】
【００４８】
【図１】本考案のドライバ差換機構の斜視図である。
【図２】図１のドライバ差換機構を分解して示す斜視図である。
【図３】図１のドライバ差換機構の断面図である。
【図４】ドライバを差込み途中の状態のドライバ差換機構示す図である。
【図５】ドライバがロックされた状態のドライバ差換機構示す図である。
【図６】ドライバのロックを解除したときのドライバ差換機構示す図である。
【図７】図１のドライバ差換機構に適用されるドライバを示す図である。
【図８】図７（Ａ）乃至（Ｄ）のドライバが図１のドライバ差換機構にロックされた状態を示す図である。
【符号の説明】
【００４９】
Ａ  汎用型ドライバ差換機構
１０  メインロッド本体
１１  差換機構側
１２  ドライバ差込側
１３  ドライバ用スロット
１４  第１のボール保持孔
１５  第２のボール保持孔
１７、２３  リング状肩部
２０  制御スライドスリーブ
２１  凹みリング溝
２２  嵌めリング溝
２２１  位置規制ガイド槽
３０  第１の圧縮コイルバネ
４０  可動内筒
４１  ドライバ突き当て側縁
４２  内凹み槽
４３  貫通孔
５０  第２の圧縮コイルバネ
６０  磁気吸引可動バーユニット
６１  磁気吸引ヘッド
６２  ロッド部
６３  拡大径位置規制部
６４  置き空間部
６５  磁石
７１  第１の対をなす位置規制ボール
７２  第２の対をなす位置規制ボール
７３  内筒位置規制機構
７３１  位置限規制ボール
７３２  ボール保持孔
８１、８２、８３、８４  ドライバ
８１０、８２０、８３０、８４０  ボール位置固定縁
１００  受け入れ空間
【図１】
0003148716.tif 000003
【図２】
0003148716.tif 000004
【図３】
0003148716.tif 000005
【図４】
0003148716.tif 000006
【図５】
0003148716.tif 000007
【図６】
0003148716.tif 000008
【図７】
0003148716.tif 000009
【図８】
0003148716.tif 000010